(57)【要約】      （修正有）【課題】音の広がりを感じさせる。【解決手段】マルチチャンネルのうち、少なくともサブウーファーチャンネル以外のチャンネルを再生するスピーカ５〜９が組み込まれ、且つスピーカ５〜９の全てが室内の反射体に向けられて反射音を同室のリスナーに聴かせるようにしている。各チャンネルのスピーカを鳴らすと、各チャンネルの音はスピーカから各々が対向する反射体に向けて発せられる。ここで、反射体は例えば部屋の壁、仕切、タンス等の家具など室内に存在する音を反射させるものである。各スピーカから発せられた各チャンネルの音は反射体に反射してリスナーに届く。【選択図】図１
2011055331.tif 000002
【特許請求の範囲】
【請求項１】
マルチチャンネルのうち、少なくともサブウーファーチャンネル以外のチャンネルを再生するスピーカが組み込まれ、且つ前記スピーカの全てが室内の反射体に向けられて反射音を同室のリスナーに聴かせるようにしたことを特徴とするスピーカ組み込み家具。
【請求項２】
椅子であり、脚部に前記スピーカが組み込まれていることを特徴とする請求項１記載のスピーカ組み込み家具。
【請求項３】
テーブルであり、天板を載せる基台に前記スピーカが組み込まれていることを特徴とする請求項１記載のスピーカ組み込み家具。
【請求項４】
天井に設置された照明装置であり、傘及び照明部を支える支持部に前記スピーカが組み込まれていることを特徴とする請求項１記載のスピーカ組み込み家具。
【請求項５】
マルチチャンネルのうち、少なくともサブウーファーチャンネル以外のチャンネルを再生するスピーカが１つの家具に組み込まれており、且つ前記スピーカの全てが室内の反射体に向けられて反射音を同室のリスナーに聴かせるようにしたことを特徴とする室内音響再生装置。
【請求項６】
前記家具は椅子であり、当該椅子の脚部に前記スピーカが組み込まれていることを特徴とする請求項５記載の室内音響再生装置。
【請求項７】
前記家具はテーブルであり、当該テーブルの天板を載せる基台に前記スピーカが組み込まれていることを特徴とする請求項５記載の室内音響再生装置。
【請求項８】
前記家具は天井に設けられた照明装置であり、当該照明装置の傘及び照明部を支える支持部に前記スピーカが組み込まれていることを特徴とする請求項５記載の室内音響再生装置。
【発明の詳細な説明】
【技術分野】
【０００１】
本発明は、スピーカ組み込み家具および室内音響再生装置に関する。さらに詳述すると、本発明は、サラウンドシステムを構成する各スピーカが組み込まれたスピーカ組み込み家具および室内音響再生装置に関するものである。
【背景技術】
【０００２】
音響装置として、ハイバックタイプの椅子の背もたれ上部，ヘッドレストなどに左右一対のスピーカを埋め込んで着座者（リスナー）の身体のすぐそばで音を発生させ、音に包まれるような音場再生を目的としたものがある（特開平１０−２８５６７８号、特開平５−１３７６３０号）。
【先行技術文献】
【特許文献】
【０００３】
【特許文献１】特開平１０−２８５６７８号公報
【特許文献２】特開平５−１３７６３０号公報
【発明の概要】
【発明が解決しようとする課題】
【０００４】
しかしながら、上記の音響装置はリスナーが直接音を聴く方式であるため、音源の位置がスピーカの位置あるいは身体のすぐ近くにあると感じることになり、音場の広がりを感じ難い。
【０００５】
本発明は、音場の広がりを感じさせることができるスピーカ組み込み家具および室内音響再生装置を提供することを目的とする。
【課題を解決するための手段】
【０００６】
かかる目的を達成するために請求項１記載のスピーカ組み込み家具は、マルチチャンネルのうち、少なくともサブウーファーチャンネル以外のチャンネルを再生するスピーカが組み込まれ、且つスピーカの全てが室内の反射体に向けられて反射音を同室のリスナーに聴かせるようにしたものである。
【０００７】
各チャンネルのスピーカはリスナーの居る室内に置かれている家具に組み込まれている。各チャンネルのスピーカを鳴らすと、各チャンネルの音はスピーカから各々が対向する反射体に向けて発せられる。ここで、反射体は例えば部屋の壁、仕切、タンス等の家具など室内に存在する音を反射させるものである。各スピーカから発せられた各チャンネルの音は反射体に反射してリスナーに届く。なお、サブウーファーチャンネルについてはそのスピーカを他のチャンネルのスピーカと一緒に家具に組み込んでも良いし、組み込まずに別に設けても良い。
【０００８】
スピーカ組み込み家具としては、例えば請求項２記載の発明のように椅子、請求項３記載の発明のようにテーブル、請求項４記載の発明のように天井に設置された照明装置であることが好ましい。
【０００９】
また、請求項５記載の室内音響再生装置は、マルチチャンネルのうち、少なくともサブウーファーチャンネル以外のチャンネルを再生するスピーカが１つの家具に組み込まれており、且つスピーカの全てが室内の反射体に向けられて反射音を同室のリスナーに聴かせるようにしたものである。
【００１０】
室内音響再生装置は家具としてリスナーの居る室内に設置されている。各チャンネルのスピーカを鳴らすと、各チャンネルの音はスピーカから各々が対向する反射体に向けて発せられる。ここで、反射体は例えば部屋の壁、仕切、タンス等の家具など室内に存在する音を反射させるものである。各スピーカから発せられた各チャンネルの音は反射体に反射してリスナーに届く。なお、サブウーファーチャンネルについてはそのスピーカを他のチャンネルのスピーカと一緒に家具に組み込んでも良いし、組み込まずに別に設けても良い。
【００１１】
各スピーカを組み込む家具としては、例えば請求項６記載の室内音響再生装置のように椅子、請求項７記載の室内音響再生装置のようにテーブル、請求項８記載の室内音響再生装置のように天井に設けられた照明装置であることが好ましい。
【発明の効果】
【００１２】
本発明のスピーカ組み込み家具および室内音響再生装置では、マルチチャンネルのうち、少なくともサブウーファー以外のチャンネルを再生するスピーカを１つの家具に纏めているので、スピーカの数が多いマルチチャンネルスピーカシステムにおいて、数多くのスピーカを別個に設ける場合の配線や施工の煩わしさを解消することができると共に、引っ越しやレイアウト変更等による場所移動を容易にすることができる。
【００１３】
また、家具でもあるので、スピーカシステムを別個に置くような特別の場所が不要になる。家具としては、どの家庭にも一般的に備えられている椅子、テーブル、天井に設置された照明装置であることが好ましい。
【００１４】
各スピーカを組み込んだ家具はリスナーの身近に置かれることになるが、リスナーには反射体に反射させた音を聴かせるようにしているので、各チャンネルのスピーカが比較的離れた位置に設置されていると錯覚させることができ、広がりのある音場・サラウンド空間を創り出すことができる。
【図面の簡単な説明】
【００１５】
【図１】本発明のスピーカ組み込み家具の第１の実施形態を示し、幅の広いソファーに適用した場合の斜視図である。
【図２】同スピーカ組み込み家具を幅の広いソファーに適用した場合の平面図である。
【図３】同スピーカ組み込み家具を幅の広いソファーに適用した場合の正面図である。
【図４】同スピーカ組み込み家具の電気系統結線図である。
【図５】同スピーカ組み込み家具を部屋のほぼ中央に置いた状態を示す平面図である。
【図６】同スピーカ組み込み家具を幅の狭いソファーに適用した場合の平面図である。
【図７】同スピーカ組み込み家具を幅の狭いソファーに適用した場合の正面図である。
【図８】適用するソファーの幅によって脚部の向きを調節する様子を説明するための図である。
【図９】反射音による音源の鏡像効果を説明するための平面図である。
【図１０】本発明のスピーカ組み込み家具をソファーに適用した場合の変形例を示す斜視図である。
【図１１】本発明のスピーカ組み込み家具をソファーに適用した場合の更に別の変形例を示す側面図である。
【図１２】同変形例の左側の脚部を示す斜視図である。
【図１３】本発明のスピーカ組み込み家具をソファーに適用した場合の更に別の変形例を示す側面図である。
【図１４】同変形例の右側の脚部を示す斜視図である。
【図１５】本発明のスピーカ組み込み家具の第２の実施形態を示し、テーブルに適用した場合の平面図である。
【図１６】同スピーカ組み込み家具の背面図である。
【図１７】同スピーカ組み込み家具を部屋のほぼ中央に置いた状態を示す平面図である。
【図１８】リアスピーカのクロストークを防止する概念を示す斜視図である。
【図１９】リアスピーカのクロストークの防止を説明するためのもので、（ａ）は比較のためのものであって、リアスピーカを前方に置く方式におけるクロストークの概念を示す平面図、（ｂ）は本発明のスピーカ組み込み家具におけるクロストークの概念を示す平面図である。
【図２０】リアスピーカのクロストークの防止を説明するためのもので、（ａ）は比較のためのものであって、リアスピーカを前方に置く方式におけるクロストークの概念を示す側面図、（ｂ）は本発明のスピーカ組み込み家具におけるクロストークの概念を示す側面図である。
【図２１】反射音による音源の鏡像効果を説明するための平面図である。
【図２２】本発明のスピーカ組み込み家具の第３の実施形態を示し、天井に設置された照明装置に適用した場合の側面図である。
【図２３】本発明のスピーカ組み込み家具を照明装置に適用した場合の変形例を示す側面図である。
【図２４】本発明のスピーカ組み込み家具の第４の実施形態を示し、７．１チャンネルサラウンドシステムをテーブルに適用した場合の平面図である。
【発明を実施するための形態】
【００１６】
以下、本発明の構成を図面に示す最良の形態に基づいて詳細に説明する。
【００１７】
図１〜図５に、本発明のスピーカ組み込み家具および室内音響再生装置の第１の実施形態を示す。このスピーカ組み込み家具１は、マルチチャンネルのうち、少なくともサブウーファーチャンネル以外のチャンネルを再生するスピーカが組み込まれ、且つスピーカの全てが室内の反射体２に向けられて反射音を同室のリスナー３に聴かせるようにしたものである。また、このスピーカ組み込み家具１は室内音響再生装置としてとらえることができ、室内音響再生装置１は、マルチチャンネルのうち、少なくともサブウーファーチャンネル以外のチャンネルを再生するスピーカが１つの家具に組み込まれており、且つスピーカの全てが室内の反射体２に向けられて反射音を同室のリスナー３に聴かせるようにしたものである。
【００１８】
本実施形態では、マルチチャンネルスピーカシステムとして、５．１チャンネルサラウンドシステムを採用し、家具１としての椅子例えばソファー（以下、ソファー１という）の脚部４に各チャンネルのスピーカ５〜１０が組み込まれている。即ち、センターチャンネルの音を再生するセンタースピーカ５と、左フロントチャンネルの音を再生する左フロントスピーカ６と、右フロントチャンネルの音を再生する右フロントスピーカ７と、左リアチャンネルの音を再生する左リアスピーカ８と、右リアチャンネルの音を再生する右リアスピーカ９と、サブウーファーチャンネルの音を再生するサブウーファースピーカ１０がソファー１の脚部４に組み込まれている。ただし、採用できるマルチチャンネルスピーカシステムとしては、５．１チャンネルサラウンドシステムに限るものではなく、例えば６．１チャンネルサラウンドシステム、７．１チャンネルサラウンドシステムでも良く、その他のチャンネル数のシステムでも良い。
【００１９】
本実施形態では、サブウーファースピーカ１０も他のスピーカ５〜９と一緒に脚部４に組み込まれている。ただし、サブウーファースピーカ１０を他のスピーカ５〜９と一緒に組み込まずに、別に設けても良い。
【００２０】
各チャンネルのスピーカ５〜１０として、単一のスピーカを使用しても良いし、複数のスピーカを使用しても良い。
【００２１】
ソファー１としては、複数人が一度に座ることが可能な幅の広いものでも、一人用の幅の狭いものでも良い。本実施形態のソファー１は複数人が一度に座ることが可能なものである。また、本実施形態のソファー１は、映像を映し出すディスプレイ、スクリーン等の映像表示装置１１に向かい合わせに配置されている。
【００２２】
本実施形態のソファー１は、座１２と背もたれ１３から成るソファー本体１４に対して脚部４が別体に形成され、脚部４がソファー本体１４から独立したスピーカボックス１５となっている。即ち、各スピーカ５〜１０が組み込まれたスピーカボックス１５がソファー１の脚部４として機能している。脚部４をソファー本体１４に固定しても良いし、固定せずに脚部４の上にソファー本体１４を載せるだけでも良い。また、必ずしも脚部４をソファー本体１４に対して別体にする必要はなく、ソファー本体１４と脚部４を一体に形成しても良い。
【００２３】
脚部４は左右にそれぞれ設けられている。ただし、必ずしも脚部４を左右に設ける必要はなく、例えば図１０に示すように、脚部４を一纏めのものにしても良い。
【００２４】
右側の脚部４には右側のチャンネルの音を再生するスピーカが組み込まれ、左側の脚部４には左側のチャンネルの音を再生するスピーカが組み込まれている。また、センタースピーカ５及びサブウーファースピーカ１０は、左右の脚部４にそれぞれ組み込まれている。
【００２５】
センタースピーカ５、左右のフロントスピーカ６，７、左右のリアスピーカ８，９は、後述するように反射体２による反射音をソファー１に座っているリスナー３が聴き取りやすい方向に反射させることができる方向に向けて取り付けられている。
【００２６】
センタースピーカ５はその放射軸が例えば平面視において前方又は前方よりも僅かに内向きで、且つ斜め上向きになるように設けられている。本実施形態では、センタースピーカ５をその放射軸が平面視において前方よりも僅かに内向きで且つ斜め上向きになるように設けている。そのため、センタースピーカ５の取付部位である脚部４の前面の内側半部は当該向きを向く傾斜面４５となっている。
【００２７】
フロントスピーカ６，７はそれらの放射軸が例えば平面視において前方又は前方よりも僅かに外向きで、且つ斜め上向きになるように設けられている。本実施形態では、フロントスピーカ６，７をそれらの放射軸が平面視において前方よりも僅かに外向きで且つ斜め上向きになるように設けている。そのため、フロントスピーカ６，７の取付部位である脚部４の前面の外側半部は当該向きを向く傾斜面４６となっている。
【００２８】
リアスピーカ８，９はそれらの放射軸が例えば平面視において前方から外側後ろ向きに９０度〜１８０度の範囲で、且つ斜め上向きになるように設けられている。本実施形態では、平面視において前方から外側後ろ向きに１３５度且つ斜め上向きになるように設けられている。そのため、リアスピーカ８，９の取付部位である脚部４の背面の外側半部は当該向きを向く傾斜面４７となっている。
【００２９】
また、本実施形態のサブウーファースピーカ１０は脚部４の底面に下向きに設けられている。ただし、サブウーファースピーカ１０の取付位置と向きはこれに限るものではない。
【００３０】
図４に各スピーカ５〜１０への電気系統結線を示す。信号源装置１７からの信号は例えば右側の脚部４内に収容された電気信号調整装置１６に入力され、各スピーカ５，７，９に分配されると共に、例えば左側の脚部４内の分岐装置１８から各スピーカ５，６，８に分配される。信号調整装置１６と右側の脚部４の入力コネクタ１９、右側の脚部４の出力コネクタ２０と左側の脚部４の入力コネクタ２２はそれぞれ１本のマルチチャンネル伝送ケーブル２３によって接続されている。信号源装置１７に接続されたマルチチャンネル伝送ケーブル２１のコネクタ２１ａと入力コネクタ１９の接続、出力コネクタ２０とマルチチャンネル伝送ケーブル２３のコネクタ２３ａの接続、マルチチャンネル伝送ケーブル２３のコネクタ２３ｂと入力コネクタ２２との接続は、それぞれワンタッチ接続可能となっている。したがって、配線の接続は極めて容易である。
【００３１】
各スピーカ５〜１０への電気信号は電気信号調整装置１６によって周波数特性が所望の特性となるようにコントロールされる。
【００３２】
本実施形態では、室内の反射体２としてソファー１正面の映像表示装置１１、前後左右の壁２４，２５，２６，２６、床２７等を利用する。ただし、反射体２としてはこれらに限るものではなく、室内に設けられたパーテーション、家具類等でも良く、音を反射するものであれば特に限定されない。
【００３３】
各スピーカ５〜１０と反射体２とリスナー３との位置関係は、ソファー（室内音響再生装置１）を置く部屋の間取り、反射体２となる物の配置、リスナー３の座る位置や姿勢等によって異なる。本実施形態では、最も一般的であると想定される位置関係に基づいて各スピーカ５〜１０の向きが予め決められている。つまり、より多くのケースで良好になるように各スピーカ５〜１０の向きが決定されている。なお、ソファー１を実際に置く部屋の間取り等が想定する位置関係と多少ずれても、左側のチャンネルの音は左側から、右側のチャンネルの音は右側から、前側のチャンネルの音は前側から、後側のチャンネルの音は後側からそれぞれ聞えてくるので、大きな支障はない。ただし、必ずしも基準にする位置関係を最も一般的であると想定されるものにする必要はなく、例えばモデルケースを定めてこれにあう位置関係に基づくようにしても良い。
【００３４】
本実施形態では、図５に示ように、ソファー１は、前の壁際に置かれた映像表示装置１１に対向し、後壁２５を背にして設置されている。したがって、左右の脚部４は映像表示装置１１の両側部又は映像表示装置１１の両側方の壁２４に対向して配置されることになる。センタースピーカ５から斜め前方内側に向けて発せられた音は例えば映像表示装置１１で反射してソファー１に座っているリスナー３に届くことになる。フロントスピーカ６，７から斜め前方外側に向けて発せられた音は例えば前壁２４及び横壁２６で反射してソファー１に座っているリスナー３に届くことになる。リアスピーカ８，９から斜め後方外側に向けて発せられた音は例えば横壁２６及び後壁２５で反射してソファー１に座っているリスナー３に届くことになる。サブウーファースピーカ１０から発せられた音は回折して広がり直接又は床２７やソファー１を伝わってリスナー３に届くことになる。
【００３５】
ここで、サブウーファースピーカ１０以外のスピーカ５〜９が指向性の低いもの、例えば口径６０ｍｍ程度のフルレンジスピーカユニット１個で構成されている場合には、発せられた音が拡散するために、直進して反射体２に反射してリスナー３へ届く音のエネルギーよりもスピーカ５〜９から回折して直接リスナー３へ届く音（図５に符号２８で示すクロストーク）のエネルギーが大きくなり、全ての音声がソファー１に近接した周囲から発せられているように感じてしまうことがある。そこで、サブウーファースピーカ１０以外のスピーカ５〜９として指向性の高いものを使用する。例えば、極力放射軸方向にだけ音のエネルギーを集中して放射できるように出来るだけ大きな口径のスピーカユニットを用いたり、複数のスピーカユニットによるアレイを構成して指向性を強化しておく。その上で、サブウーファースピーカ１０以外のスピーカ５〜９にはそれぞれあらかじめ振幅周波数特性や位相周波数特性を所望の効果が得られるように調整された入力信号が入力される。
【００３６】
一般的に反射音は中低音域の勝った明瞭度の低い音となってしまう特徴があるが、これは一般的な部屋の壁の表面は中、高音域において吸音作用が大きいためである。そこでスピーカ５〜９から発せられる音を予め高音域を強めるか又は低音域を弱めておくことが必要になる。そのための信号処理を電気信号調整装置１６によって行なう。ただし、電気信号調整装置１６による信号処理に代えて、例えば高音域再生専用のスピーカを追加するようにしても良い。
【００３７】
本実施形態ではセンタースピーカ５を左右の脚部４に設けており、左右のセンタースピーカ５からは同じチャンネルの音が同時に発せられる。センターチャンネルの音は本来リスナー３正面中央部に定位することが望ましい。ここで、左右のセンタースピーカ５を正面に向けた場合を考える。この場合、リスナー３がソファー１の中央に座っているときには左右のセンタースピーカ５から均等な音量の反射音が得られるので、センターチャンネルの音は中央に定位する。しかしながら、リスナー３が例えば右側に偏って座っているときは、右側の反射音が左側の反射音よりも強くなるので、センターチャンネルの音が右側に偏って定位する。
【００３８】
これに対し、本実施形態では、左右のセンタースピーカ５を斜め前方内側に向けているため、センターチャンネルの反射音はソファー１の中央に最も強く戻ってくることになる（図５の符号２９）。つまり、リスナー３が例えば右側に偏って座っている場合は、相対的に反対側の左側の反射音が強くなり、右側の反射音は弱くなるため、センターチャンネルの音の定位は中央付近に補正されることになる。同様に、リスナー３が左側に偏って座っている場合は、相対的に右側の反射音が強くなり、左側の反射音は弱くなるため、センターチャンネルの音の定位は中央付近に補正されることになる。ただし、例えばセンターチャンネルの音が左右のいずれかに偏って定位しても良い場合や、左右の脚部４の間隔が狭くセンターチャンネルの放射軸を正面に向けてもセンターチャンネルの音が中央に定位する場合等には、センタースピーカ５の放射軸を平面視において前方に向けても良い。
【００３９】
また、スピーカの放射音の指向性は高音域ほど鋭くなり、人間の聴覚も３ｋＨｚ以上の高音域で音の方向感の感度が高くなるので、センタースピーカ５として高音用スピーカを設けた場合には、当該高音用スピーカの放射軸のみ内側に向けても良い。
【００４０】
室内音響再生装置１を左右の脚部４に分けたことで、脚部４の上に載せるソファー本体１４の幅にかかわらず脚としての役割を果たすことが可能となる。つまり、ソファー本体１４の幅に応じて左右の脚部４の間隔を調節することで、幅の異なるソファー１に対して対応可能になる。即ち、図１〜図３に示すように幅が広いソファー本体１４を載せる場合には左右の脚部４の間隔を広げ、図６，図７に示すように幅が狭いソファー本体１４を載せる場合には左右の脚部４の間隔を狭くする。このように、左右の脚部４の間隔を調節することで、ソファー本体１４の幅の変化に対応することができ、ソファー本体１４を幅の異なるものに交換する場合に便利である。
【００４１】
また、左右の脚部４の間隔に応じて脚部４の向きを変化させても良い。図８に実線で示すように、幅の狭いソファー１例えば１人用ソファー１に適用する場合には、即ち左右の脚部４の間隔が狭い場合には、センタースピーカ５を内向きに配置する必要はなく、フロントスピーカ６，７を外向きに配置する必要がある。そのため、左右の脚部４を若干外向きに配置する。また、図８に仮想線で示すように、幅の広いソファー１例えば複数人用のソファー１に適用する場合には、即ち左右の脚部４の間隔が広い場合には、センタースピーカ５をより内向きに配置する必要があり、フロントスピーカ６，７を外向きに配置する必要はない。そのため、左右の脚部４を内向きに配置する。このように、左右の脚部４の間隔に応じて脚部４の向きを調節することで、１種類の室内音響再生装置１で幅の狭い１人用のソファー１から幅の広い３人以上用のソファー１まで対応することができる。
【００４２】
このように室内音響再生装置１を部屋のほぼ中央に置き、サブウーファー以外のチャンネルの音を周囲の壁２４〜２６（反射体２）に向かって放射し、壁２４〜２６によって反射された音を聴く本発明では、図９に示すように原理的に音源位置が壁からの距離のほぼ２倍の壁の向こう側に存在することと等価（鏡像効果）であり、リスナー３はあたかも部屋の広さが４倍になったかのように感じることになる。
【００４３】
本実施形態では、サブウーファースピーカ１０は脚部４（スピーカボックス１５）の底面に設けられており、サブウーファースピーカ１０から発せられた音は脚部４と床２７との間の隙間を通じて全方向に放射される。サブウーファーの再生帯域では指向性がつかないため、リスナー３は反射音ではなく主として直接音を聴くことになる。しかもサブウーファースピーカ１０とリスナー３の距離が近いため、例えばサブウーファースピーカ１０を別に準備して部屋の前方においた場合に比べて少ない電気入力でも聴感上は同じ音量に感じることになり、効率が良いと共に不要な騒音を少なくする効果がある。また、他のチャンネルの音よりもサブウーファーチャンネルの音の方が時間的に早くリスナー３に到達するので、サブウーファーに必用不可欠なローパスフィルターのグループディレイによる信号の時間遅れを結果的に補正することになり、スピード感のある低音再生が可能となる。加えて、音のみならず反作用としての振動が脚部４からソファー１に伝わるため、映画ソフトなどの重低音成分の再生時にリスナー３が心地よい振動を感じる効果も生じる。
【００４４】
本実施形態では、マルチチャンネル音声再生用の複数のスピーカ５〜１０を左右一対の脚部４に組み込み、それらをソファー１の脚部４として一体化したので、各スピーカ５〜１０を各チャンネル毎に独立して設置する方式に較べて、設置が簡単である。
【００４５】
また、リスナー３へはセンターチャンネル、左右のフロントチャンネル、左右のリアサイドチャンネルの音を反射させて届かせているので、各反射音が伝わる距離が殆ど等しくなり、センターチャンネル、左右のフロントチャンネル、左右のリアサイドチャンネルの音がほぼ同時にリスナー３に到達することになる。そのため、音のつながりや広がりなどが自然である。また音質の違和感を生じさせることがない。
【００４６】
また、サブウーファースピーカ１０をソファー１に組み込むことで、直接音を聴くことになるサブウーファースピーカ１０をリスナー３に近い場所に設置することになる。そのため、サブウーファーチャンネルの信号レベルをあまり大きくしなくてもリスナー３にとって十分なレベルの音圧を得ることができ、駆動用アンプのサブウーファーチャンネルの出力を他のチャンネルの出力に比べて小さくすることが可能となり、サブウーファーチャンネルの音の他の部屋への音漏れを少なくできる。
【００４７】
また、サブウーファーチャンネル以外のチャンネルは反射音をリスナー３に聴かせることになり、サブウーファーチャンネルは直接音をリスナー３に聴かせることになる。リスナー３に近い位置にサブウーファースピーカ１０が設置されることになるので、リスナー３に対してサブウーファースピーカの音が他のチャンネルの音よりも時間的に早く到達することになる。そのため、結果的にサブウーファーに必要不可欠なローパスフィルターのグループディレイによる時間遅れが補正されることになり、スピード感のある（遅れ感のない）低音再生が可能となる。
【００４８】
また、脚部４にスピーカを組み込んでも、ソファー１の外観が一般的なインテリア家具としてのソファーと殆ど変わらないので、室内に置いておいても違和感が少なく、また、実際にソファーとして使用することができるので、スピーカとして使用しない場合でも邪魔にならない。
【００４９】
なお、本実施形態では室内音響再生装置１及びスピーカ組み込み家具１を椅子としてのソファー１に適用していたが、適用可能な椅子としてはソファに限るものではなく、例えば安楽椅子でも良く、その他の椅子でも良い。
【００５０】
また、本実施形態では、左右一対の脚部４に適用していたが、必ずしも左右一対に分割されている脚部４に限るものではなく、例えば図１０に示すように、１つに纏められた脚部４に適用しても良い。この場合には、各スピーカ５〜１０を一纏めにしているので、取り扱いや場所移動がより便利である。
【００５１】
また、上述の説明では、スピーカボックス１５を脚部４として使用していたが、脚部４として使用しなくても良い。例えば、左右の脚の間の空間にスピーカボックス１５を収容したり、左右の脚の外側にスピーカボックス１５を置くようにしても良い。なお、左右の脚の間の空間にスピーカボックス１５を収容する場合には、左右のフロントスピーカ６，７の間隔が狭くなるので、フロントチャンネルの音の左右への広がり感を得にくい。そのため、左右のフロントスピーカ６，７の放射軸を外向きに開くことが好ましい。あるいは入力電気信号に予め信号処理を行ってリスナー３の左右の耳に到達する反射音が音の広がり感を感じられるような周波数特性を持たせる方法によって、左右への音の広がり感を得るようにしても良い。
【００５２】
また、スピーカボックス１５の周囲を音が透過する織布や編み物などのメッシュ状の表皮部材で覆い、スピーカを隠すようにしても良い。
【００５３】
また、上述の説明では、電気信号調整装置１６をスピーカボックス１５（脚部４）内に収納していたが、必ずしもこの構成に限るものではなく、電気信号調整装置１６をスピーカボックス１５と別に設けても良い。例えば邪魔になりにくい部屋の片隅に設置しても良い。この場合には、電気信号調整装置１６と各スピーカとを接続するスピーカケーブルは長くなってしまうが、スピーカボックス１５を軽量化することができる。
【００５４】
また、本実施形態では、脚部４の向きを変えることでスピーカの向きを変えるようにしていたが、必ずしもこの構成に限るものではなく、例えば脚部４を構成する筐体に対して向きを変えることができるようにスピーカを取り付けておき、脚部４全体の向きを変えずにスピーカの向きを変えるようにしても良い。
【００５５】
また、例えば図１１，図１２に示すソファー１のように、脚部４を構成するスピーカボックス１５を筐体４８に収容しても良い。筐体４８内にスピーカボックス１５を収容した場合には、ソファー本体１４の重量を筐体４８で受けることができる。このとき、サブウーファースピーカ１０を左右の脚部４の間の空間に直接向けて設置することができる場合には、図１１，図１２に示すソファー１の脚部４のようにスピーカボックス１５の内側面にサブウーファースピーカ１０を取り付けるようにする。一方、サブウーファースピーカ１０を左右の脚部４の間の空間に直接向けて設置することができない場合には、図１３，図１４に示すソファー１の脚部４のように斜め上方に向けてサブウーファースピーカ１０を取り付けるようにする。
【００５６】
図１５〜図１７に、本発明のスピーカ組み込み家具および室内音響再生装置の第２の実施形態を示す。なお、第１の実施形態に示す部材と同一の部材には同一の符号を付し、それらの詳細な説明を省略する。本実施形態の家具１はテーブル（以下、テーブル１という）であり、天板３０を載せる台部３１に各スピーカ５〜１０が組み込まれている。即ち、台部３１となるスピーカボックス１５の上に天板３０を載せている。
【００５７】
センタースピーカ５は台部３１の前面中央にその放射軸５ａが例えば平面視において前方且つ斜め上向きになるように設けられている。左右のフロントスピーカ６，７は台部３１の前面両側部にそれらの放射軸６ａ，７ａが例えば平面視において前方且つ斜め上向きになるように設けられている。つまり、センタースピーカ５と左右のフロントスピーカ６，７は台部３１前面に水平に並べられた状態で設けられている。本実施形態では、これら３つのスピーカ５〜７を等間隔で配置している。左右のリアスピーカ８，９は左右のフロントスピーカ６，７の後方に配置され、それらの放射軸８ａ，９ａが例えば平面視において斜め後外向き且つ斜め上向きになるように設けられている。サブウーファースピーカ１０は、左右のセンタースピーカ５の間に下向きに設けられている。即ち、第１の実施形態ではセンタースピーカ５とサブウーファースピーカ１０を２つずつ設けていたが、本実施形態ではこれらを１つずつ設けている。また、本実施形態では、全てのスピーカを１つのスピーカボックス１５（台部３１）に纏めて組み込んでいる。天板３０は、全てのスピーカ５〜１０を覆うように台部３１の上に載せられている。
【００５８】
左右のリアスピーカ８，９と反射体２とリスナー３との位置関係は、テーブル（室内音響再生装置）１を置く部屋の間取り、反射体２となる物の配置、リスナー３の座る位置や姿勢等によって異なる。本実施形態では、最も一般的であると想定される位置関係に基づいて左右のリアスピーカ８，９の向き即ち後述する交差角θ１が予め決定されている。つまり、より多くのケースで良好になるように左右のリアスピーカ８，９の向きが決定されている。なお、テーブル１を実際に置く部屋の間取り等が想定する位置関係と多少ずれていても、左側のチャンネルの音は左側から、右側のチャンネルの音は右側から、前側のチャンネルの音は前側から、後側のチャンネルの音は後側からそれぞれ聞えてくるので、大きな支障はない。ただし、必ずしも基準にする位置関係を最も一般的であると想定されるものにする必要はなく、例えばモデルケースを定めてこれにあう位置関係に基づくようにしても良い。一般的には、図１５に示すように、平面視におけるリアスピーカ８，９の放射軸８ａ，９ａとフロントスピーカ６，７の放射軸６ａ，７ａとの交差角θ１は外向きに例えば１３５度〜１５０度に設定される。ただし、必ずしも交差角θ１は１３５度〜１５０度の範囲内の角度にする必要はない。本実施形態では、交差角θ１＝１３５度としている。なお、図１５では右側の交差角θ１の記載を省略している。
【００５９】
左右のリアスピーカ８，９は、テーブル１をリスナー３の前方に置いた状態で、リスナー３に対して、左右のリアスピーカ８，９とサブウーファースピーカ１０との間を仕切る垂直遮蔽板３２，３２の陰に隠れるように設けられている。即ち、左右のリアスピーカ８，９とサブウーファースピーカ１０との間を仕切る左右の垂直遮蔽板３２，３２を左右のリアスピーカ８，９よりも斜め後方外側に向けて張り出させ、リスナー３に対して左右のリアスピーカ８，９を隠している。
【００６０】
なお、本実施形態では、電気信号調整装置１６（図示省略）を台部３１とは別の位置、例えば邪魔になりにくい部屋の片隅等に設置している。ただし、電気信号調整装置１６を台部３１内に収納しても良い。この場合は、電気信号調整装置１６と各スピーカ５〜１０とを接続するスピーカケーブルを短くすることができ、ケーブル抵抗による損失を軽減することができると共に、高品位の電力伝送による高品質化を図ることができる。
【００６１】
天板３０は台部３１に対して取り外し可能に取り付けられており、交換可能になっている。天板３０として例えば木の板、ガラス板、金属板、大理石の板等の材質の異なるものや仕上げの異なるものなど種々のバリエーションのものを用意しておき、購入者が好みに応じて交換できるようになっている。これにより、インテリア家具としての魅力が増す。また、製造時に天板３０の材質や仕上げの異なるものを選択することで、種類が異なる室内音響再生装置１を簡単に製造することができる。
【００６２】
この室内音響再生装置１は図１７に示されるように壁際に置かれた映像表示装置１１とリスナー３との間で部屋のほぼ中央付近に設置される。このとき、室内音響再生装置１は、センタースピーカ５及び左右のフロントスピーカ６，７がリスナー３に対向する映像表示装置１１に真っ直ぐ向くように設置される。したがって、リスナー３には映像表示装置１１又は前壁２４に反射したセンタースピーカ５の音及び左右のフロントスピーカ６，７の音が届くことになる。また、左右のリアスピーカ８，９から発せられた音は、左又は右の横壁２６及び後壁２５に反射してリスナー３に届くことになる。
【００６３】
左右のフロントスピーカ６，７とセンタースピーカ５との間隔ｄは、スピーカボックス１５（台部３１）全体の外形寸法をあまり大きくしないために例えば１０ｃｍ〜２０ｃｍ程度とし、且つ互いの放射軸５ａ，６ａ，７ａは平行になっているので、基本的に映像表示装置１１又は前壁２４に反射した音はそのままリスナー３に向けて反射する。即ち、リスナー３の左耳には左フロントチャンネルの音が、右耳には右フロントチャンネルの音が最も大きなエネルギーで入力されることになり、また、センターチャンネルの音は両耳に均等に入力される。そのため、そのままでは音源の広がりはスピーカ間隔程度に感じられてしまう。そこで、音源が実際のスピーカ間隔より広い間隔であるかのように感じられるようにするために、入力信号に公知又は新たに開発された信号処理を行うことが好ましい。
【００６４】
ここで、音の広がりを感じさせる信号処理としては、左右の耳に到達する信号成分をコントロールしてリスナー３に音源の広がりを感じさせるものであれば特に制限されるものではないが、例えば、「ステレオワイド回路」として知られている互いに反対チャンネルの（左チャンネルには右チャンネルの、右チャンネルには左チャンネルの）逆位相成分をミキシングする方法や、頭部伝達関数に基づいて振幅周波数特性および位相周波数特性を変換する方法等が考えられる。
【００６５】
このとき左右のフロントスピーカ６，７の放射軸６ａ，７ａを平行にしておくことが重要であり、外側に広がるように放射軸６ａ，７ａを向けると反射波がリスナー３位置へ戻らず拡散してしまうため、ステレオのセパレーションが不足した大きなモノラル音源のように感じられてしまう。また一般的に一度壁などに反射した音波は一部の音響エネルギーが壁に吸収されて音圧レベルが低下するとともに周波数特性も変化してしまう。そこで、このような周波数特性の変化を補正する処理を上述の音の広がりを感じさせる信号処理に含めておくことが好ましい。このような補正としては、例えば周波数２ｋＨｚ付近から高音域に向かって３ｄＢ／ｏｃｔ程度の傾斜で周波数特性を上昇させ、２０ｋＨｚで平坦になるような補正特性を持たせる処理がある。
【００６６】
左右のリアスピーカ８，９からの放射音はリスナー３の後の壁２５に反射し、拡散した音響エネルギーのうちリスナー３に戻ってきた音が聴かれることになる。このとき、フロントスピーカ６，７の音の場合と同様に反射によって音圧レベルが低下してしまう。また、人の聴覚は後方からの音声に対して感度が低い。そこで、リアスピーカ８，９への入力信号のレベルを大きくしてリアスピーカ８，９からの放射音圧を高めておく必要があるが、それは同時に垂直遮蔽板３２を回折してリスナー３へ直接到達する音（クロストーク）を大きくしてしまう。そこでクロストークを極力小さくするためにリアスピーカ８，９の指向性を高めることが好ましい。リアスピーカ８，９の指向性を高める手段としては、例えばリアスピーカ８，９の口径を大きくしたり、複数のスピーカを併置したアレイとしたり、あるいはホーン形スピーカを用いるなどの手段が考えられる。また、同時に、リスナー３とリアスピーカ８，９との間に遮蔽物を置き、リアスピーカ８，９から発せられた音がリスナー３に直接届くのを妨げるようにするのが好ましい。
【００６７】
遮蔽物の例としては、例えば１８図に示すようにリアスピーカ８，９の前方に水平板３０および垂直板３２を張り出させ、リスナー３に対してリアスピーカ８，９を隠すことが考えられる。本実施形態では、垂直板としてスピーカボックス１５の垂直遮蔽板３２を利用し、水平板として天板３０を利用している。このようにすることで、専用の遮蔽物をわざわざ別に設ける必要がなくなり、製造コストを安くすることができると共に、スピーカボックス１５を軽量化することができる。ただし、垂直遮蔽板３２や天板３０とは別に遮蔽物を設けて良い。リスナー３に対し、リアスピーカ８，９を隠すことで、室内音響再生装置１全体が一般的なインテリア家具の「センターテーブル」のように見える外観となる。
【００６８】
ここで、図１９（ａ）および図２０（ａ）に、本発明とは別の方式で、映像表示装置１１の両脇にリアスピーカ３４（左側のみ図示）を設置した方式を示す。この方式では、リアスピーカ３４とリスナー３の距離が離れているため、リアスピーカ３４の向きとクロストーク３５の方向との間の角度α１，α２（α１：水平方向，α２：垂直方向）が小さく、指向性によるクロストーク減少効果が少ない。また、遮蔽物を設置しても角度α１，α２が小さいために遮蔽効果は少ない。
【００６９】
これに対し、本実施形態では、図１９（ｂ）および図２０（ｂ）に示すように、室内音響再生装置１をリスナー３の直前に置くことになるため、リアスピーカ８，９（左リアスピーカ８のみ図示）とリスナー３の距離が近く、リアスピーカ８，９の向きとクロストーク３５の方向との間の角度β１，β２（β１：水平方向、β２：垂直方向）が大きくなり、指向性によるクロストークの減少効果を大きくできると同時に遮蔽物による遮蔽効果を高めることができる。
【００７０】
本実施形態でも、例えば図２１に示すように、第１の実施形態と同様に鏡像効果を得ることができ、リスナー３はあたかも部屋の広さが４倍になったかのように感じることになる。
【００７１】
本実施形態では、マルチチャンネル音声再生用の複数のスピーカ５〜１０を１つのスピーカボックス１５に組み込み、それをテーブル１として一体化したので、各スピーカ５〜１０を各チャンネル毎に独立して設置する方式に較べて、設置が簡単である。
【００７２】
また、リスナー３へはセンターチャンネル、左右のフロントチャンネル、左右のリアサイドチャンネルの音を反射させて届かせているので、各反射音が伝わる距離が殆ど等しくなり、センターチャンネル、左右のフロントチャンネル、左右のリアサイドチャンネルの音がほぼ同時にリスナー３に到達することになる。そのため、音のつながりや広がりなどが自然である。また音質の違和感を生じさせることがない。
【００７３】
また、サブウーファースピーカ１０をテーブル１に組み込むことで、直接音を聴くことになるサブウーファースピーカ１０をリスナー３に近い場所に設置することになる。そのため、サブウーファーチャンネルの信号レベルをあまり大きくしなくてもリスナー３にとって十分なレベルの音圧をえることができ、駆動用アンプのサブウーファーチャンネルの出力を他のチャンネルの出力に比べて小さくすることが可能となり、サブウーファーチャンネルの音の他の部屋への音漏れを少なくできる。
【００７４】
また、サブウーファーチャンネル以外のチャンネルは反射音をリスナー３に聴かせることになり、サブウーファーチャンネルは直接音をリスナー３に聴かせることになる。リスナー３に近い位置にサブウーファースピーカ１０が設置されることになるので、リスナー３に対してサブウーファースピーカの音が他のチャンネルの音よりも時間的に早く到達することになる。そのため、結果的にサブウーファーに必要不可欠なローパスフィルターのグループディレイによる時間遅れが補正されることになり、スピード感のある（遅れ感のない）低音再生が可能となる。
【００７５】
また、台部３１にスピーカを組み込んでも、テーブル１の外観が一般的なインテリア家具としてのセンターテーブルと殆ど変わらないので、室内においても違和感が少なく、また、実際にテーブルとして使用することができるので、スピーカとして使用しない場合でも邪魔にならない。
【００７６】
なお、上述の形態は本発明の好適な形態の一例ではあるがこれに限定されるものではなく本発明の要旨を逸脱しない範囲において種々変形実施可能である。
【００７７】
例えば、上述の説明ではソファー１などの椅子、テーブルに適用していたが、適用可能な家具はこれらに限るものではない。例えば、天井に設置された照明装置に適用しても良い。図２２に天井３６に設置された照明装置に適用した例を示す。なお、上述の実施形態に示す部材と同一の部材には同一の符号を付し、それらの詳細な説明を省略する。この例の家具１は天井３６に設置された照明装置（以下、照明装置１という）であり、傘３７及び照明部３８を支える支持部３９にスピーカ５〜１０が組み込まれている。ここでは、第２の実施形態のスピーカボックス１５を小型化し、照明装置１の支持部３９として使用している。
【００７８】
支持部３９は天井３６に直接固定されていても良いし、天井３６から吊下げられていても良い。第２の実施形態における天板３０に代えて、傘３７及び照明部３８がスピーカボックス１５の底面に取り付けられている。また、各スピーカ５〜９は斜め下向きに取り付けられている。傘３７がリスナー３に対して各スピーカ５〜９を隠し、それらの音のクロストークを防止する。この場合にも、各スピーカ５〜９から発せられた音は前後左右の壁２４〜２６等に反射してリスナー３に届く。
【００７９】
なお、第２の実施形態のテーブル１では、リアスピーカ８，９の放射軸８ａ，９ａとフロントスピーカ６，７の放射軸６ａ，７ａとの交差角θ１を例えば１３５度〜１５０度の範囲の値にしていたが、天井３６に設置された照明装置１ではリスナー３の真上にスピーカボックス１５を配置することも可能であるため、テーブル１に適用する場合に比べてリアスピーカ８，９がより横向きになるような交差角θ１としても良い。例えば、交差角θ１を例えば１２０度〜１３５度の範囲の値にしても良い。
【００８０】
更に、図２３に示すように、天井３６に凹部４４を形成し、スピーカを使用しないときにはスピーカボックス１５を凹部４４内に格納しておき、スピーカを使用するときにスピーカボックス１５を下降させて凹部４４から露出させるようにしても良い。この場合には、スピーカの不使用時にはスピーカボックス１５を隠しておくことができ、通常の照明装置１との違和感を全くなくすることができる。ここで、スピーカボックス１５を昇降させる装置としては、例えば既存のプロジェクター用昇降装置、音響・照明用の昇降装置と同じ構造の昇降装置が利用可能である。
【００８１】
また、天井３６にスピーカボックス１５を取り付ける場合には、照明装置１用の既存の商用電源を利用することが容易であるため、駆動用の電力増幅器や無線あるいは赤外線によるワイヤレス信号伝送の受信機を内蔵させることもできる。したがって、スピーカケーブルを外部機器からスピーカボックス１５まで壁内や天井３６裏へ引き回して接続する工事が不要となり、一般的な天井埋め込みスピーカの設置に較べて極めて簡単に設置できる。
【００８２】
天井３６に設置された照明装置１に適用する場合には、スピーカボックス１５を床に置く必要がないので、床面を広く使うことが可能である。
【００８３】
また、上述の説明では、サブウーファースピーカ１０を他のスピーカ５〜９と一緒にスピーカボックス１５に組み込んでいたが、サブウーファースピーカ１０をスピーカボックス１５に組み込まずに分離して別置きとしても良い。この場合には、重量が大きくなりがちなサブウーファースピーカ１０を別置きにすることでスピーカボックス１５を大幅に軽量化することができる。特に、天井３６に設置される照明装置に適用する場合には、スピーカボックス１５（支持部３９）を大幅に軽量化することで、既存の照明装置取り付け用ローゼットあるいは引っ掛けシーリングに直に取り付けることも可能となり、有利である。
【００８４】
また、例えば図２４に７．１チャンネルサラウンドシステムに適用した例を示す。なお、図２４ではテーブル１に適用した場合の例を示しているが、椅子、照明装置等にも適用可能である。
【００８５】
７．１チャンネルサラウンドシステムでは、リアのチャンネルとして、左右のリアサイドチャンネルと左右のリアセンターチャンネルが設けられている。リアサイドチャンネルの音を再生するリアサイドスピーカ４０，４１はフロントスピーカ６，７の後方に設けられ、リアセンターチャンネルの音を再生するリアセンタースピーカ４２，４３はリアサイドスピーカ４０，４１の後方に設けられている。フロントスピーカ６，７の放射軸６ａ，７ａとリアサイドスピーカ４０，４１の放射軸４０ａ，４１ａとの交差角θ２（左側のみ図示）は例えば９０度に設定され、フロントスピーカ６，７の放射軸６ａ，７ａとリアセンタースピーカ４２，４３の放射軸４２ａ，４３ａとの交差角θ３（左側のみ図示）は例えば１６５度に設定されている。なお、椅子に適用する場合には交差角θ３を例えば１８０度にして、即ち真後ろに向けても良い。ただし、交差角θ２，θ３はこれらの数値に限るものではなく、部屋の間取り等の位置関係等に応じて適宜設定される。このように７．１チャンネルサラウンドシステムに適用することで、最近の映画ソフトなどに採用されている７．１チャンネル再生ソフトに対応させることができる。
【符号の説明】
【００８６】
１  スピーカ組み込み家具（室内音響再生装置）
２  反射体
３  リスナー
４  ソファーの脚部
５  センタースピーカ
６，７  フロントスピーカ
８，９  リアスピーカ
１０  サブウーファースピーカ
３０  テーブルの天板
３１  テーブルの台部
３６  天井
３７  照明装置１の傘
３８  照明装置の照明部
３９  照明装置の支持部
【図１】
2011055331.tif 000003
【図２】
2011055331.tif 000004
【図３】
2011055331.tif 000005
【図４】
2011055331.tif 000006
【図５】
2011055331.tif 000007
【図６】
2011055331.tif 000008
【図７】
2011055331.tif 000009
【図８】
2011055331.tif 000010
【図９】
2011055331.tif 000011
【図１０】
2011055331.tif 000012
【図１１】
2011055331.tif 000013
【図１２】
2011055331.tif 000014
【図１３】
2011055331.tif 000015
【図１４】
2011055331.tif 000016
【図１５】
2011055331.tif 000017
【図１６】
2011055331.tif 000018
【図１７】
2011055331.tif 000019
【図１８】
2011055331.tif 000020
【図１９】
2011055331.tif 000021
【図２０】
2011055331.tif 000022
【図２１】
2011055331.tif 000023
【図２２】
2011055331.tif 000024
【図２３】
2011055331.tif 000025
【図２４】
2011055331.tif 000026